(57)【特許請求の範囲】
【請求項１】
平面的に広がる装置本体と、装置本体に蛇行をなして埋め込まれ媒体を循環流通させるパイプと、装置本体の側縁の１箇所に設けられるとともに上記パイプの両端を往路および復路の外部配管にそれぞれ接続するヘッダとを備え、
上記往路の外部配管からの媒体をヘッダを経てパイプの一端から受け入れ、このパイプを循環した媒体をパイプの他端からヘッダを経て復路の外部配管へと送り出すようにした室温調整装置において、
上記装置本体には、複数のスリットが互いに平行をなし間隔をおいて並んで形成され、これら複数のスリットにそれぞれ小根太が収容され、上記パイプはこれら小根太と平行をなすようにして蛇行しており、
上記小根太を挟んで隣接する上記パイプの間隔は、上記媒体の流入側の一端に近い方が広く、当該一端から遠い方が狭くなっており、
上記ヘッダでは、上記往路および復路の外部配管を接続するための接続管部の径を異ならせたことを特徴とする室温調整装置。
【請求項２】
平面的に広がる装置本体と、装置本体に蛇行をなして埋め込まれ媒体を循環流通させるパイプと、装置本体の側縁の１箇所に設けられるとともに上記パイプの両端を往路および復路の外部配管にそれぞれ接続するヘッダとを備え、
上記往路の外部配管からの媒体をヘッダを経てパイプの一端から受け入れ、このパイプを循環した媒体をパイプの他端からヘッダを経て復路の外部配管へと送り出すようにした室温調整装置において、
上記装置本体には、複数のスリットが互いに平行をなし間隔をおいて並んで形成され、これら複数のスリットにそれぞれ小根太が収容され、
上記パイプは２本設けられ上記小根太と平行をなすようにして蛇行するとともに、同じ方向に媒体を流すようになっており、
上記２本のパイプのうち上記小根太から見て外側に位置するパイプの小根太と平行な２つの部分の間隔は、上記媒体の流入側の一端に近い方が広く、当該一端から遠い方が狭くなっており、
上記ヘッダでは、上記往路および復路の外部配管を接続するための接続管部の径を異ならせたことを特徴とする室温調整装置。
【発明の詳細な説明】
【０００１】
【発明の属する技術分野】
本発明は、床暖房用の温水マット等の室温調整装置に関する。
【０００２】
【従来の技術】
例えば床暖房用の温水マットは、床板やカーペット等の下に敷かれるものであり、矩形状のマット本体（装置本体）と、このマット本体に蛇行をなして埋め込まれたパイプと、マット本体の縁に設けられるとともにパイプの両端を２本の外部配管に接続するヘッダとを備えている。温水（熱媒体）は、往路の外部配管からヘッダの一方の接続管部を経てパイプの一端に供給され、このパイプを循環した後パイプの他端からヘッダの他方の接続管部を経て復路の外部配管へと送り出される。このように、蛇行するパイプを温水が通ることにより、床暖房がなされる。
【０００３】
【発明が解決しようとする課題】
上記温水マットでは、ヘッダの接続管部が往路側か復路側かを判別するのが難しく、往路側の外部配管を復路側の接続管部に、復路側の外部配管を往路側の接続管部に誤接続することがあった。
【０００４】
【課題を解決するための手段】
請求項１の発明は、平面的に広がる装置本体と、装置本体に蛇行をなして埋め込まれ媒体を循環流通させるパイプと、装置本体の側縁の１箇所に設けられるとともに上記パイプの両端を往路および復路の外部配管にそれぞれ接続するヘッダとを備え、
上記往路の外部配管からの媒体をヘッダを経てパイプの一端から受け入れ、このパイプを循環した媒体をパイプの他端からヘッダを経て復路の外部配管へと送り出すようにした室温調整装置において、
上記装置本体には、複数のスリットが互いに平行をなし間隔をおいて並んで形成され、これら複数のスリットにそれぞれ小根太が収容され、上記パイプはこれら小根太と平行をなすようにして蛇行しており、
上記小根太を挟んで隣接する上記パイプの間隔は、上記媒体の流入側の一端に近い方が広く、当該一端から遠い方が狭くなっており、
上記ヘッダでは、上記往路および復路の外部配管を接続するための接続管部の径を異ならせたことを特徴とする。
請求項２の発明は、平面的に広がる装置本体と、装置本体に蛇行をなして埋め込まれ媒体を循環流通させるパイプと、装置本体の側縁の１箇所に設けられるとともに上記パイプの両端を往路および復路の外部配管にそれぞれ接続するヘッダとを備え、
上記往路の外部配管からの媒体をヘッダを経てパイプの一端から受け入れ、このパイプを循環した媒体をパイプの他端からヘッダを経て復路の外部配管へと送り出すようにした室温調整装置において、
上記装置本体には、複数のスリットが互いに平行をなし間隔をおいて並んで形成され、これら複数のスリットにそれぞれ小根太が収容され、
上記パイプは２本設けられ上記小根太と平行をなすようにして蛇行するとともに、同じ方向に媒体を流すようになっており、
上記２本のパイプのうち上記小根太から見て外側に位置するパイプの小根太と平行な２つの部分の間隔は、上記媒体の流入側の一端に近い方が広く、当該一端から遠い方が狭くなっており、
上記ヘッダでは、上記往路および復路の外部配管を接続するための接続管部の径を異ならせたことを特徴とする。
【０００７】
【発明の実施の形態】
以下、本発明の第１実施形態を図１〜図３に基づいて説明する。図１に示すように、床暖房用の温水マット（室温調整装置）は、短辺の側縁１ａ，１ｂと、長辺の側縁１ｃ，１ｄを有した長方形のマット本体１（装置本体）を備えている。図２に示すように、マット本体１には側縁１ａ，１ｂと平行な複数のスリット１ｘが形成されており、これらスリット１ｘに小根太２が収容されている。この小根太２は、側縁１ｃから延びるものと、側縁１ｄから延びるものとが交互に配設されており、マット本体１を蛇行形状にしている。この小根太２が根太等に配設される。
【０００８】
上記マット本体１の上面には蛇行する収容溝１ｙが形成されており、この収容溝１ｙには、温水（熱媒体）を通すための１本のパイプ１０が収容されている。また、マット本体１の上面には伝熱シートとしてのアルミ箔４が張り付けられている。
【０００９】
次に、パイプ１０と、往路の外部配管２１，復路の外部配管２２との接続構造について説明する。図１，図３に示すように、マット本体１の側縁１ｃには、側縁１ａ，１ｃが交差する隅部近傍に位置して、矩形状の切欠１ｚが形成されている。この切欠１ｚに、ヘッダ３０が収容されている。特に図３に示すように、このヘッダ３０は、一対のヘッダ部材３１，３２からなり、これらヘッダ部材３１，３２は、それぞれパイプ１０の両端１１ａ，１２ａを接続するための接続管部３１ａ，３２ａと、外部配管２１，２２を接続するための接続管部３１ｂ，３２ｂとを有している。
【００１０】
往路の外部配管２１からの温水は、ヘッダ部材３１を経てパイプ１０の一端１１ａから流入し、このパイプ１０を循環し、パイプ１０の他端１２ａからヘッダ部材３２を経て復路の外部配管２２へと送り出される。パイプ１０の全長のうち、上記流入端１１ａから約半分の位置までの部分が往路部分１１となり、上記半分の位置から流出端１１ｂまでの部分が往路部分１２となる。
【００１１】
上記パイプ１０において往路部分１１と復路部分１２は互いに隣接しかつ平行をなしながら、蛇行している。なお、これら往路部分１１と復路部分１２は、交差しないので、往路部分１１同士が隣接する領域と、復路部分１２同士が隣接する領域がある。
【００１２】
温水マットにおいて、図中右半分のヘッダに近い領域ＲA（ただし復路部分１２しか配設されない側縁１ａの近傍領域ＲCを除く）では、隣接する往路部分１１同士の間隔Ｐ1Aが、隣接する復路部分１２同士の間隔Ｐ2Aの間隔より広くされている。また、隣接する往路部分１１と復路部分１２の間隔Ｐ3Aは、往路部分１１同士の間隔Ｐ1Aの半分未満であり、復路部分１２間の間隔Ｐ2Aと等しいかこれより大きい。
なお、上記領域ＲAにおいて、隣接する往路部分１１の間隔Ｐ1Aは、２本の復路部分１２を挟んで離れた２本の往路部分１１間の間隔Ｐ1A’より狭くするが、往路部分１１と復路部分１２の温度差が著しい場合には、等しくてもよい。
【００１３】
温水マットにおいて、図中左半分のヘッダ３０から遠い領域ＲBでは、隣接する往路部分１１同士の間隔Ｐ1Bと、隣接する復路部分１２同士の間隔Ｐ2Bの間隔と、隣接する往路部分１１と復路部分１２の間隔Ｐ3Bが、互いにほぼ等しい。
【００１４】
また、領域ＲAでの隣接する往路部分１１同士の間隔Ｐ1Aは、領域ＲBでの間隔Ｐ1Bより広く、領域ＲAでの隣接する復路部分１２同士の間隔Ｐ2Aは、領域ＲBでの間隔Ｐ2Bより狭い。
【００１５】
上記ヘッダ部材３１，３２の接続管部３１ｂ，３２ｂの径Ｄ１，Ｄ２は互いに異なっている。例えば、接続管部３１ｂの径Ｄ１が、接続管部３２Ｂの径Ｄ２より大きく、これに対応して往路の外部配管２１は復路の外部配管２２より太くなっている。
【００１６】
次に作用を説明する。パイプ１０内を温水が蛇行しながら循環している際に、パイプ１０の往路部分１１では流入端１１ａで温水の温度が最も高く、流入端１１ａから遠ざかるにしたがって温度が下がってくる。復路部分１２では、流出端１２ａに近付くにしたがって、温水の温度が低くなる。
【００１７】
上記構成の温水マットでは、ヘッダ３０が図１においてマット本体１の右上隅に配置されているので、ヘッダに近い右側の領域ＲAで往路部分１１と復路部分１２の温度差が大であり、ヘッダ３０から遠い左側の領域ＲBで温度差が小である。そのため、領域ＲA，ＲBにおいて、往路部分１１の温度と復路部分１２の温度を足して２で割った値が略同じになる。従って、温水マットを広い領域ＲA，ＲBに分けた時の両領域ＲA，ＲBでの温度差が無くなり、全体が略均一な温度分布となる。
【００１８】
次に、より細分化された領域での温度分布について説明する。領域ＲAでは、上述したように往路部分１１と復路部分１２の温度差が大きいが、この温度差を補うように、隣接する往路部分１１の間隔Ｐ1Aが、隣接する復路部分１２の間隔Ｐ2Aより広くなっている。そのため、領域ＲAでの細分化された領域における単位面積当たりの熱放散量の差が小さくなり、この細分化された領域間の温度むらを減少させることができる。なお、領域ＲBでは、往路部分１１と復路部分１２の温度差が小さいので、隣接する往路部分１１の間隔Ｐ1Bと、隣接する復路部分１２の間隔Ｐ2Bの間隔をほぼ等しくしても、細分化された領域間での温度むらは小さい。
【００１９】
ヘッド部材３１，３２の接続管部３１ｂ，３２ｂは、互いに径が異なるため、往路の外部配管２１は必ずヘッダ部材３１に接続され、ひいてはパイプ１０の往路部分１１に接続される。同様に、往路の外部配管２２は、必ずヘッダ部材３２に接続され、ひいてはパイプ１０の復路部分１２に接続される。したがって、上記温度むらの解消を確実に得ることができる。
換言すれば、外部配管２１，２２を逆に接続した場合には、パイプ１０の間隔の改良が裏目に出て、温度むらがより一層顕著に表れてしまうが、このような不都合を確実に防止できる。
【００２０】
なお、隣接する往路部分１１同士の間隔と、隣接する復路部分１２同士の間隔との差を、図中左に向かうにしたがって徐々に小さくするようにしてもよい。すなわち、隣接する往路部分１１同士の間隔を左に向かうにしたがって徐々に小さくし、隣接する復路部分１２同士の間隔を左に向かうにしたがって徐々に大きくしてもよい。
【００２１】
以下、本発明の他の実施例を説明する。これら実施例において先行して説明した実施例に対応する構成部材には同番号を付してその詳細な説明を省略する。
本発明の第２実施例を図４，図５を参照して説明する。この実施例では、図４に示すように、マット本体１に２本のパイプ１０が互いに平行をなし蛇行して埋め込まれている。図５に示すように、この実施例で用いられるヘッダ部材３１は２つの接続管部３１ａを有し、ここに２本のパイプ１０の一端１１ａをそれぞれ接続している。同様に、ヘッダ部材３２も２本のパイプ１０の他端１２ａを接続するための２つの接続管部３２ａを有している。なお、外部配管２１，２２を接続するための接続管部３１ｂ，３２ｂの径Ｄ１，Ｄ２は互いに異なっている。
【００２２】
ヘッダ３０に近い領域ＲAにおいて、小根太２を介さずに互いに隣接する往路部分１１同士の間隔Ｓ1Aは、最も広い。次に、小根太２を介して互いに隣接する往路部分１１同士の間隔Ｓ1A’と、小根太２を介して互いに隣接する復路部分１２同士の間隔Ｓ2A’が広く、これら間隔は互いにほぼ等しい。そして、小根太２を介さずに隣接する復路部分１２同士の間隔Ｓ2Aが最も狭い。また、隣接する往路部分１１と復路部分１２の間隔Ｓ3Aは、間隔Ｓ1Aの半分以下であり、間隔Ｓ2Aとほぼ等しいか若干大きい。
【００２３】
上記領域ＲAにおいて、互いに隣接する往路部分１１の間隔Ｓ1Aは、４本の復路部分１２を介して離れた２本の往路部分１１の間隔Ｓ1A”より狭くするのが好ましいが、往路部分１１と復路部分１２の温度差が著しい場合には、等しくしてもよい。
【００２４】
ヘッダ３０から遠い領域ＲBにおいて、隣接する往路部分１１の間隔Ｓ1Bと、隣接する復路部分１２の間隔Ｓ2Bと、隣接する往路部分１１と復路部分の間隔Ｓ3Bは、すべてほぼ等しい。
なお間隔Ｓ1Aは間隔Ｓ1Bより広く、間隔Ｓ2Aは間隔Ｓ2Bより狭い。
【００２５】
第２実施例の基本的な作用は第１実施例と同様であるので、その説明を省略する。
【００２６】
次に本発明の第３実施例を図６に基づいて説明する。この実施例では、第２実施例と同様に２本のパイプ１０を用いているが、往路部分１１がヘッダ３０の右側に接続され、復路部分１２がヘッダ３０左側に接続されている点で、第２実施例と異なる。この実施例では、図２おいて最も右側の領域ＲCが２本のパイプの往路部分１１だけを含んでいるので、一本のパイプ１０の往路部分１１を短縮させて、往路部分１１の分布を少なくしている。
パイプ１０の間隔，ヘッダの形状については第２実施例と同様であるので、説明を省略する。
【００２７】
なお、上記実施例では、温水マットの左右の大きな領域での温度差を解消するために、ヘッダ３０をマット本体１の隅部に配置したが、細分化された領域間の温度むらだけを解消したい場合は、ヘッダ３０を側縁１ｃの中央部に配置してもよい。
外部配管は、継手を介してヘッダの接続管部に接続してもよい。この場合、往路と復路の外部配管の径を等しくし、継手の径を異ならせればよい。
本発明の温水マットは、天井や，壁に設置してもよい。また、パイプに冷水等の冷媒体を流して室内の冷房を図ってもよい。
【００２８】
【発明の効果】
以上説明したように、本願発明によれば、パイプの往路部分と復路部分の温度差が大きくても、装置本体での温度むらを減少させることができる。また、ヘッダの接続管部の径を異ならせることにより、外部配管の誤接続を防止でき、上記効果を確実に奏することができるとともに、誤接続により温度むらの顕著化を確実に防止することができる。
【図面の簡単な説明】
【図１】本発明の第１実施例をなす温水マットの平面図である。
【図２】同実施例の部分拡大断面図である。
【図３】同実施例のヘッダの構成を示す拡大平面図である。
【図４】本発明の第２実施例をなす温水マットの平面図である。
【図５】同実施例のヘッダの構成を示す拡大平面図である。
【図６】本発明の第３実施例をなす温水マットの平面図である。
【符号の説明】
１  マット本体（装置本体）
１０  パイプ
１１  往路部分
１２  復路部分
２１  往路の外部配管
２２  復路の外部配管
３０  ヘッダ
３１ａ，３２ａ  外部配管のための接続管部
【図１】
0003678491.tif 000002
【図２】
0003678491.tif 000003
【図３】
0003678491.tif 000004
【図４】
0003678491.tif 000005
【図５】
0003678491.tif 000006
【図６】
0003678491.tif 000007